(57)【要約】【課題】駐車券を繰り返し使用可能にすると共に、駐車券に表示器等の高価な機能を持たせることなく、駐車場利用者が手元にて自らの入庫時刻や駐車時間、或は、駐車料金といった駐車状況を、容易に且つ比較的安いコストにて正確に確認できるように工夫した駐車場管理システムを提供する。【解決手段】車両を入庫する時に駐車券コードを付した駐車券ＴＫを発行し、その駐車券コードと入庫時刻を駐車情報管理装置１の記憶部１２に記憶する。駐車場利用者は、端末機２から駐車券コードを用いて駐車情報管理装置１にアクセスして、駐車時間や駐車料金等の駐車情報を取得する。【選択図】      図１
2005018687.tif 000002
【特許請求の範囲】
【請求項１】
車両を入庫させると、料金精算用の駐車券が発行される時間貸し、又は、月極め等の期間貸し駐車場において、
駐車券が発行される度に、駐車券に付与されている駐車券コードと入庫時刻を記憶する記憶部と、上記駐車券コードを用いた端末機からの通信回線を介したアクセスに従って、記憶部の記憶データから当該車両の入庫時刻や駐車時間、或は、駐車料金といった駐車状況を演算して、これ等の駐車状況を上記端末機の表示画面或は音声案内によって確認可能にする駐車状況確認手段とを備えて成ることを特徴とする駐車場管理システム。
【請求項２】
駐車券を発行する駐車券発行機と、駐車場の駐車情報を管理する駐車情報管理装置と、通信回線にアクセス可能なインターフェイス機能を備えた端末機とで構成された駐車場管理システムであって、
上記の駐車券発行機は、車両等が入庫すると駐車券コードが付与された駐車券を発行する駐車券発行手段と、上記の駐車券コードと入庫時刻とを上記駐車情報管理装置へ送信する入庫情報送信手段とを備え、
上記駐車情報管理装置は、上記駐車券発行機から送信されて来る駐車券コード並びに入庫時刻とを関連づけて記憶する記憶部と、通信回線を介した上記端末機からの上記駐車券コードを用いたアクセスに応じて、該当する駐車情報の開示要求を行う入出力処理部と、この入出力処理部から開示要求を受けると、送られて来た駐車券コードに基づいて上記の記憶部から該当する駐車情報を上記の入出力処理部に出力する制御部とを備えていて、
上記端末機から上記駐車情報管理装置へのアクセスが行われると、上記入出力処理部から入力された駐車券コードを元に、当該駐車場への入場時刻や、駐車時間、駐車料金等の駐車情報を上記端末機に送付可能に構成したことを特徴とする駐車場管理システム。
【請求項３】
通信回線がインターネットであり、端末機にはインターネットにアクセス可能なブラウザー機能が具備されていることを特徴とする請求項１又は２に記載の駐車場管理システム。
【請求項４】
駐車券に、固有な識別番号である駐車券番号とＵＲＬ（アドレス）が目視可能に記載されていることを特徴とする請求項１又は２に記載の駐車場管理システム。
【請求項５】
駐車券に、非接触読み取り可能に、固有識別番号である駐車券番号、又は、固有識別番号である駐車券番号とＵＲＬとが付加されると共に、端末機には、上記駐車券の固有識別番号である駐車券番号とＵＲＬを読み取りする非接触リーダが備えられていることを特徴とする請求項１、２又は４に記載の駐車場管理システム。
【請求項６】
非接触読み取り可能な固有識別番号である駐車券番号並びに、ＵＲＬが、バーコード記録、又は、ＩＣメモリー記録であることを特徴とする請求項５に記載の駐車場管理システム。
【請求項７】
端末機の表示画面に対して、ＵＲＬの指定でアクセスされたサーバー上の駐車情報サイトを表示し、駐車コードを入力して所定の駐車情報を表示するように構成したことを特徴とする請求項１、２、３、４、５又は６に記載の駐車場管理システム。
【請求項８】
駐車情報管理装置に音声ガイダンス部を備え、端末機からのキー操作に基づいて、端末機受話器に音声にて駐車情報を送付可能としたことを特徴とする請求項１、２、３、４、５、６又は７に記載の駐車場管理システム。
【発明の詳細な説明】
【０００１】
【発明の属する技術分野】
本発明は、時間貸し、或は、月極め等の期間貸し駐車場に用いて好適な駐車場管理システムに関する。
【０００２】
【従来の技術】
特許文献１に記載の「駐車場管理装置」には、駐車場の入場口にていわゆる使い捨てされる駐車券を発行し、駐車場の出口にて駐車券の回収を行うと言った一般的な駐車場管理システムに関する記載がある。
【０００３】
また、特許文献２に記載の「駐車場管理装置」には、従来の使い捨て駐車券に代えて、いわゆるＩＣ駐車カードを用いた駐車場管理システムに関する記載がある。このシステムでは、駐車券をＩＣカード化し、カードのメモリーに入出庫精算等の処理に必要な入庫時刻等を記憶させ、且つ、プリペードカード機能を付与させることで、駐車料金の支払いをキャッシュレスにて可能なシステムを構築している。従って、メモリー内の金額を逐次補充することで、駐車券として繰り返し利用することを可能にしている。
【０００４】
【特許文献１】
特開昭５９−１８６０６４号公報
【特許文献２】
特開昭６１−８０３８５号公報
【０００５】
【発明が解決しようとする課題】
しかし、特許文献１記載のシステムでは、駐車券は一度使用されるだけの使い捨て方式であり、駐車券に係る資源の消耗等の問題、駐車券の廃棄処理に係るコスト、駐車券に係るコストが嵩むこと、又、上記文献に記載された従来の駐車券は取り扱いを誤れば、折り曲がったり、破けたりして使用できなくなることがあるから、利用者は取り扱いに注意を払う必要があった。
【０００６】
これに対し、上記特許文献２に記載のシステムでは、駐車券として繰り返し使用可能なＩＣカードを使用するため、上述した資源の消耗や、廃棄処理コストの問題を解決することが可能である。しかし、ＩＣカードそのもののコストが高いこと、又、ＩＣカードを機能させるのに必要な電池を必要とすること、電池寿命の問題、ＩＣメモリは壊れやすいものであることから取り扱いに注意を要すること、ＩＣカードの表面に表示器等を付加させなければＩＣカード内の金額等を知ることができないこと、駐車時間や駐車料金等の駐車状況を知るすべがないこと、等、さまざまな問題があって、実用化には幾多の問題があった。
【０００７】
そこで本発明の技術的課題は、駐車券を繰り返し使用可能にすると共に、駐車券に表示器等の高価な機能を持たせることなく、駐車場利用者が手元にて自らの入庫時刻や駐車時間、或は、駐車料金といった駐車状況を、容易に且つ比較的安いコストにて正確に確認できるように工夫した駐車場管理システムを提供することである。
【０００８】
【課題を解決するための手段】
（１）  上記の技術的課題を解決するために、本発明の駐車場管理システムは、前記請求項１に記載の如く、車両を入庫させると、料金精算用の駐車券が発行される時間貸し、又は、月極め等の期間貸し駐車場において、駐車券が発行される度に、駐車券に付与されている駐車券コードと入庫時刻を記憶する記憶部と、上記駐車券コードを用いた端末機からの通信回線を介したアクセスに従って、記憶部の記憶データから当該車両の入庫時刻や駐車時間、或は、駐車料金といった駐車状況を演算して、これ等の駐車状況を上記端末機の表示画面或は音声案内によって確認可能にする駐車状況確認手段とを備えて成ることを特徴とする。
【０００９】
（２）  また、本発明の駐車場管理システムは、前記請求項２に記載の如く、駐車券を発行する駐車券発行機と、駐車場の駐車情報を管理する駐車情報管理装置と、通信回線にアクセス可能なインターフェイス機能を備えた端末機とで構成された駐車場管理システムであって、上記の駐車券発行機は、車両等が入庫すると駐車券コードが付与された駐車券を発行する駐車券発行手段と、上記の駐車券コードと入庫時刻とを上記駐車情報管理装置へ送信する入庫情報送信手段とを備え、上記駐車情報管理装置は、上記駐車券発行機から送信されて来る駐車券コード並びに入庫時刻とを関連づけて記憶する記憶部と、通信回線を介した上記端末機からの上記駐車券コードを用いたアクセスに応じて、該当する駐車情報の開示要求を行う入出力処理部と、この入出力処理部から開示要求を受けると、送られて来た駐車券コードに基づいて上記の記憶部から該当する駐車情報を上記の入出力処理部に出力する制御部とを備えていて、上記端末機から上記駐車情報装置へのアクセスが行われると、上記入出力処理部から入力された駐車券コードを元に、当該駐車場への入場時刻や、駐車時間、駐車料金等の駐車情報を上記端末機に送付可能に構成したことを特徴とする。
【００１０】
（３）  また、本発明の駐車場管理システムは、前記請求項３に記載の如く、通信回線がインターネットであり、端末機にはインターネットにアクセス可能なブラウザー機能が具備されていることを特徴とする。
【００１１】
（４）  また、本発明の駐車場管理システムは、前記請求項４に記載の如く、駐車券に、固有な識別番号である駐車券番号とＵＲＬ（アドレス）が目視可能に記載されていることを特徴とする。
【００１２】
（５）  また、本発明の駐車場管理システムは、前記請求項５に記載の如く、駐車券に、非接触読み取り可能に、固有識別番号である駐車券番号、又は、固有識別番号である駐車券番号とＵＲＬとが付加されると共に、端末機には、上記駐車券の固有識別番号である駐車券番号とＵＲＬを読み取りする非接触リーダが備えられていることを特徴とする。
【００１３】
（６）  また、本発明の駐車場管理システムは、前記請求項６に記載の如く、非接触読み取り可能な固有識別番号である駐車券番号並びに、ＵＲＬが、バーコード記録、又は、ＩＣメモリー記録であることを特徴とする。
【００１４】
（７）  また、本発明の駐車場管理システムは、前記請求項７に記載の如く、端末機の表示画面に対して、ＵＲＬの指定でアクセスされたサーバー上の駐車情報サイトを表示し、駐車コードを入力して所定の駐車情報を表示するように構成したことを特徴とする。
【００１５】
（８）  更に本発明の駐車場管理システムは、前記請求項８に記載の如く、駐車情報管理装置に音声ガイダンス部を備え、端末機からのキー操作に基づいて、端末機受話器に音声にて駐車情報を送付可能としたことを特徴とする。
【００１６】
上記（１），（２），（３）で述べた手段によれば、車両が駐車場に入場する際に、駐車券発行機から駐車券コードが付与された駐車券が発行され、同時に入庫時刻と駐車券コードとを駐車情報管理装置に対して送付して記憶するように構成したから、駐車券を所持する駐車場利用者は、駐車券に表示された、又は、付与された所定のＵＲＬ（アドレス）を元に、インターネット等の通信回線を介して、例えばインターネットにアクセス可能な所定サーバーの駐車情報サイトにアクセスすることができ、更に駐車券に表示又は付与された駐車券コードを上記駐車情報サイトから入力することで、駐車場利用者に必要な駐車情報を当該利用者の端末機を介して送付可能とすることができる。
【００１７】
上記（４），（５），（６）で述べた手段によれば、駐車券コードを上記駐車情報サイトから入力する際に、端末機に設けられたキーボタンを操作して行う場合は、駐車券に目視可能に表示された駐車券コードを上記端末機のキーボタンを操作して入力すれば良く、また、端末機が画像を読み取って入力することを可能にするカメラ機能を備えている場合は、例えば、バーコードとか、二次元バーコードにて駐車コードが表示された駐車券に対応することができる。更に、端末機に設けられ、且つ、駐車券に組み込まれたＩＣメモリから所定の駐車コードを非接触で読み取ることが可能な機能を有する場合は、ＩＣメモリを備えた駐車券に対応することが可能である。
【００１８】
上記（７）で述べた手段によれば、端末機には、インターネット上の所定のサーバにアクセスして、サーバが提供する駐車情報表示サイトの入力画面から必要情報を取り出すベく必要な入力事項を入力可能とするので、利用者にとって利便性が高い。
【００１９】
上記（８）で述べた手段によれば、端末機には、インターネット上の所定のサーバにアクセスし、サーバーが提供する音声ガイダンスに従って必要情報を取り出すべく操作を行うことで、必要情報を音声にて入手できるので、時と所を選ばずいつでも駐車情報の取得が可能であり、また、通常の携帯電話である比較的簡単なシステム構成で、利用者にとって利便性の高いシステムが構築可能である。
【００２０】
【発明の実施の形態】
以下に、上述した本発明に係る駐車場管理システムの実施の形態を図面と共に説明すると、図１は本発明の全体を説明した構成図であって、図中、１は駐車場に関連させて設けたＵＲＬを有する駐車情報管理装置、２は駐車情報管理装置１に対してインターネット等の通信回線を介して接続可能に構成した例えば携帯電話機の如き端末機、３は駐車場の入庫口に設けた駐車券発行機、４は駐車場の出庫口に設けた料金精算機、５と６は入庫口と出庫口に設けた入口ゲートと出口ゲ−ト、ＴＫは駐車券発行機３が発行する駐車券で、駐車券ＴＫは車両を入庫口から駐車場に入庫させる際に発行される。
【００２１】
ＦＢは上記駐車券発行機３及び料金精算機４と、上記駐車情報管理装置１の制御部１１との間を結ぶ通信線で、駐車券発行機３は駐車券ＴＫを発行する度に、駐車券コードと入庫時刻を上記通信線ＦＢを通して駐車情報管理装置１の制御部１１に送り、制御部１１は送信されて来た駐車券コードと入庫時刻を関連づけて記憶部１２に記憶する。
【００２２】
駐車情報管理装置１は、駐車券発行機３から送られて来る入庫時刻と駐車券コードを記憶部１２に記憶すると共に、駐車場利用者が所有する携帯電話機等の端末機２からの問い合わせに対して、駐車時間や駐車料金といった駐車情報を開示送付するものであって、端末機２からの問い合わせに対して入出力を可能にする入出力処理部１４と、各種の駐車情報を音声ガイダンスする音声ガイダンス部１３を有する。
【００２３】
上記の入出力処理部１４は、いわゆるインターネット上におけるＵＲＬ（アドレス）を有し、ブラウザー機能を有する上記携帯電話機等の端末機２からアクセス可能な構成に成っていて、端末機２からのアクセスがあると、駐車情報に関する表示サイトを表示し、端末機２の表示部２４（表示画面）に対して案内情報を表示したり、駐車券コード等の入力を促すための表示を行ったりして、端末機２との双方向による情報の受け渡しを可能にする仕組に成っている。尚、入出力処理部１４は、インターネットに接続されるインターネットサーバの如き独立したコンピュータであってもよく、その選択は任意である。
【００２４】
また、前述した制御部１１は、入出力処理部１４を介して端末機２から要求される駐車情報を、入出力処理部１４に対して開示して出力するべく記憶部１２に指令を送ったり、或は、駐車料金の精算に必要な情報を料金精算機４に送付する等の制御を行う。
【００２５】
本発明で用いる駐車券ＴＫは、従来の一般的なカード式のもの以外に、例えば図３に示すようにフラットなコイン状、またはタグ状に形成した各種形状のものが使用可能であって、それぞれ固有のＩＤ番号である駐車券コードが付与されており、且つ、駐車券コードが後述する端末機２に対して入力可能に表示また記憶されているものである。従って、表面部には液晶等による可変表示部等の機能を一切持たないものであり、また、表面に印字等を施す必要もなく、単に、ＵＲＬと固有のＩＤ番号である駐車券コードが表示、または記憶されているもので良い。
【００２６】
上記駐車券ＴＫに関し具体的な例を挙げれば、図３に示す如く、一つは駐車券の表面にバーコード、または二次元バーコード表示されたバーコード式駐車券ＢＲであって、これは後述する端末機２の持つ内蔵カメラの如き画像入力部２８Ａで読み取り可能なものであり、二つは端末機２に内蔵するＩＣリーダの如き非接触ＩＣメモリリーダー部２８Ｂで読み取り可能なＩＣメモリーデータを備えたＩＣメモリ式駐車券ＭＤであり、三つ目は駐車券表面に表示されたＵＲＬと固有のＩＤ番号である駐車券コードを読んで端末機２に対して入力ボタンを操作して入力可能なように、目視可能に表示され手動入力式駐車券ＷＲ等が挙げられる。
【００２７】
上述した端末機２は、インターネット等の通信回線にアクセス可能なインターフェイス機能、例えばブラウザー機能を有し、所定のＵＲＬを端末機２より指定することにより、所定のインターネットに接続されたサーバ（例えば、本発明における駐車情報管理装置）に接続可能に構成されている。そして所定のサーバの駐車情報表示サイトに接続されると、端末機２から駐車券ＴＫに付与または表示されたＵＲＬや駐車券コードを、端末機２に入力することが可能になるように構成されている。
【００２８】
図２は、上記端末機２の一例を示したブロック図で、端末機２は表示部２４と、キー入力部２５と、音声入力部２６と、音声出力部２７と、アンテナ２１を備えた無線通信部２２と、インターネット機能２３Ａ及び電子メール機能２３Ｂを備えた制御部２３を備えており、更に、必要時付与機能２８として、上述した画像入力部２８Ａと、非接触ＩＣメモリリーダー部２８Ｂを備えていて、夫々以下に述べる機能を発揮する。
【００２９】
即ち、上述した表示部２４は、電話番号の表示等の通常機能を有すると共に、駐車情報管理装置１にアクセスし、その駐車情報表示サイトにおいて入出力に必要な情報の表示を行うものである。また、キー入力部２５は、通常機能である電話番号の入力と共に、駐車情報の問い合わせに際して、図３に示した駐車券ＷＲに目視可能に表示された駐車券コードを目視で読み取りして、手入力する場合に用いるものである。更にキー入力部２５は、後述する音声ガイダンスによる駐車情報の入手に際して、駐車情報管理装置１側との音声ガイダンスに従って必要な情報の入力処理を行う際に必要なものである。
【００３０】
音声入力部２６は、通常の通話機能に必要なものであり、音声出力部２７は、通常の通話機能に必要であると共に、駐車情報を音声で入手しようとする場合に必要なものであり、音声ガイダンスに従って必要なキー操作を行い、駐車券コードのキー操作による入力により、必要な駐車情報を音声にて入手できる構成である。更に、制御部２３は、上記の表示部２４、キー入力部２５、音声入力部２６、音声出力部２７、画像入力部２８Ａ、非接触ＩＣメモリーリーダー部２８Ｂ等の各部への入力制御や、インターネットへの接続制御を含む無線通信部２２における入出力制御等を行う。また、無線通信部２２は、通信回線上における信号の授受を行う。
【００３１】
画像入力部２８Ａは、図３に示す如く、駐車券の表面に駐車券コードをバーコードで表示したバーコード式駐車券ＢＲから、駐車券コードを読み取って入力するためのカメラ等の画像入力部であり、キー入力部２５と共に付加されたり、または、単独で必要により付加することができる機能である。
【００３２】
また、非接触式ＩＣメモリーリーダー部２８Ｂは、図３に示す如く、ＩＣメモリ式駐車券ＭＤに付加された非接触ＩＣメモリから駐車券コード等を読み取り可能に付加された内蔵ＩＣリーダーであり、キー入力部２５、または、画像入力部２８Ａと共に、または単独で必要により付加することができる機能である。
【００３３】
図４は、本発明における駐車場への入庫に始まり、駐車情報管理装置１における駐車情報の取り扱い、並びに、利用者における駐車情報の問い合わせ処理に至る処理手順を具体的に説明したフローチャートである。
【００３４】
図４に示したフローチャートにおいて、ステップＳ１で入庫口への車両の進入によって駐車券ＴＫ（ＢＲ，ＭＤ，ＷＲ）の発行処理がスタ−トすると、先ず、ステップＳ２で入庫通路上に設けた車両検知器（図示省略）が入庫車両を検知したか否かが判定され、入庫が検知されると駐車券発行機３はこれから発行する駐車券ＴＫに付されている駐車券コードＩＤを読み取り、次いで、ステップＳ４に進んで入庫時刻、駐車券コード、駐車場Ｎｏ．等のデータに基づいて入庫情報を生成して、この入庫情報を通信線ＦＢを介して送信デ−タバッファＢＨ（図４）に送る。
【００３５】
次いで駐車券発行機３は、ステップＳ５で上記の入庫情報を記録した駐車券ＴＫ（ＢＲ，ＭＤ，ＷＲ）を発行し、ステップＳ６で駐車場利用者がこの発行された駐車券ＴＫを抜き取ると、ステップＳ７に進んで入口ゲート５が開いてステップＳ８の車両の入庫処理が成され、次いで、ステップＳ９で入口ゲート５が閉じ、ステップＳ１０で上記送信デ−タバッファＢＨの入庫情報を駐車情報管理装置１に送信して、駐車券ＴＫの発行処理と車両の入庫処理が終了する。そして、駐車情報管理装置１の記憶部１２には、駐車券コードと入庫時刻、車種、料金割引内容等から成る駐車情報が、関連した駐車場別に順次記憶されて、ユーザー（駐車場利用者）からの問い合わせに備える。
【００３６】
ステップＳ１１から始まるユーザーからの問い合わせは、先ず、ステップＳ１２で携帯電話機等の端末機２を用いて問い合わせ先の駐車情報管理装置１のＵＲＬにアクセスし、次いで、ステップＳ１３に進んでユーザーが端末機２を操作して駐車券コードＩＤを入力する。入力方法には使用する駐車券ＢＲ，ＭＤ，ＷＲの種類に応じて、内蔵カメラ２８Ａによる読み取り、内蔵ＩＣリーダー２８Ｂによる読み取り、入力ボタン２５による入力があることは、前述の如くである。
【００３７】
上記駐車券コードの入力が済むと、ステップＳ１４に進んでセンターと問い合わせ処理（駐車情報管理装置１への問い合わせ処理）が成され、その後、ステップＳ１５に進んで駐車情報管理装置１が問い合わせのあった駐車券コードＩＤを検索する。次いで、ステップＳ１６に進んで駐車情報管理装置１は駐車場毎の設定により照会情報を算出し、更に、ステップＳ１７で算出した当該車両の駐車情報をＨＴＭＬ変換した後、ステップＳ１８でユーザーの端末機２にその駐車情報、即ち、駐車時間や駐車料金等の駐車情報を表示または音声ガイダンスすることにより、問い合わせ処理を終了する。
【００３８】
【発明の効果】
以上述べた次第で、本発明に係る駐車場管理システムによれば、時と所を選ばずに、駐車場利用者はいつでも駐車時間や駐車料金等の駐車情報の取得が可能であり、また、通常の携帯電話機を端末機として使用すれば、比較的簡単なシステム構成によって必要とする駐車情報を取得できるため、駐車場利用者にとって利便性の高いシステムを低コストにて提供できる利点を備えている。
【図面の簡単な説明】
【図１】本発明に係る駐車場管理システムの全体を説明したブロック構成図。
【図２】本発明で使用する端末機の構成を説明したブロック図。
【図３】端末機として用いる携帯電話機と駐車券の構成を説明した説明図。
【図４】本発明に係る駐車場管理システムによる駐車券発行処理と駐車情報問い合わせ処理の手順を説明したフローチャート。
【符号の説明】
１              駐車情報管理装置
１１            制御部
１２            記憶部
１３            音声ガイダンス部
１４            入出力処理部
２              端末機
２２            無線通信部
２３            制御部
２４            表示部
２５            キー入力部
２６            音声入力部
２７            音声出力部
３              駐車券発行機
４              料金精算機
ＴＫ            駐車券
ＢＲ            バーコード式駐車券
ＭＤ            ＩＣメモリー式駐車券
ＷＲ            手動入力式駐車券
【図１】
2005018687.tif 000003
【図２】
2005018687.tif 000004
【図３】
2005018687.tif 000005
【図４】
2005018687.tif 000006